(57)【要約】【課題】製造が容易であり，かつ取り付けが簡単である園芸用ラベルを提供する。【解決手段】ラベルの目的とする情報が記入されたラベル本体１０と，取り付け対象に取り付けるための取り付け機能部２０とが，一体化されて形成された園芸用ラベルにおいて，取り付け機能部２０は，取り付け対象３０に巻き付ける帯状の巻き付け部２１と，巻き付け部２１が差し込まれる差し込み口２２とからなり，差し込み口２２に巻き付け部２１の先端部分を差し込んだ状態を維持するためのストッパー機能を備える。園芸用ラベル１の使用時には，巻き付け部２１を取り付け対象３０に巻き付けて差し込み口２２に差し込み，その先端部分を引っ張るだけで，簡単に取り付けることができる。【選択図】図１
2007155873.tif 000002
【特許請求の範囲】
【請求項１】
ラベル本体にラベルの目的とする情報が記入され，取り付け機能部によって取り付け対象に取り付けられて使用される園芸用ラベルであって，
前記取り付け機能部は，前記ラベル本体の一端から帯状に延び，取り付け対象に巻き付けられる巻き付け部と，前記巻き付け部の先端部分が差し込まれる差し込み口とからなり，前記差し込み口に前記巻き付け部の先端部分を差し込んだ状態を維持するためのストッパー機能を備え，
前記ラベル本体と前記取り付け機能部とが一体に形成された
ことを特徴とする園芸用ラベル。
【発明の詳細な説明】
【技術分野】
【０００１】
本発明は，植物の茎，幹，枝などの取り付け対象に取り付けられ，植物等に関する様々な情報が記載される園芸用ラベルに関するものである。
【背景技術】
【０００２】
図４は，従来の園芸用ラベルの例を示す図である。植物の茎，幹，枝などに取り付けるタイプの園芸用ラベル１００は，図４（Ａ）に示すように，ラベル本体１０１と取り付け用針金１０２からなる。ラベル本体１０１には，植物の名称やデザインされたイラスト，販売店名やその店のマーク等の文字や図柄，植物特許がある場合はその旨を示す注意書きや特許番号等の付加的説明事項など，様々な情報が表示される。園芸用ラベル１００は，図４（Ｂ）に示すように，取り付け用針金１０２を植物の茎，幹，枝等に巻き付けるようにして取り付けられる。なお，ラベル本体１０１の材料としては，塩化ビニル等の合成樹脂や，ポリエチレン系，ポリプロピレン系等の合成紙などが使用されている。
【０００３】
また，取り付け用針金１０２を使用せずに植物の茎，枝などに巻き付けることが可能な園芸用ラベル１００もある（例えば，特許文献１参照）。特許文献１には，植物の枝や茎に巻き付けて使用する紙製の園芸用表示片について記載されている。特許文献１では，表示辺を折り返して植物の枝や茎に巻き付けた状態にして，剥離紙を部分的に剥離して露出した粘着層を貼り付けることにより，園芸用表示片を植物に取り付けている。
【特許文献１】特開２０００−４１４９５号公報
【発明の開示】
【発明が解決しようとする課題】
【０００４】
図４に示すような従来の園芸用ラベル１００は，取り付け用針金１０２に鉄などの安価な金属が用いられているため，腐食しやすく壊れやすかった。さらに，取り付け用針金１０２は細く加工されているため，植物の茎を傷つけてしまったり，植物の世話などの作業中に取り付け用針金１０２の先端で怪我をしてしまったりすることもあった。
【０００５】
また，従来の園芸用ラベル１００は，合成樹脂のラベル本体１０１と金属の取り付け用針金１０２といったように異なる材質の部品を別々に製造し，さらにラベル本体１０１に取り付け用針金１０２を１つ１つよって組み合わせる工程が必要となるので，コストが高くつき，作業に時間がかかるという問題があった。
【０００６】
上述の特許文献１の園芸用表示片は，台紙，粘着層，剥離紙といった複数の素材を用いた構造であるため，一つの材料を用いたものよりコスト高になるという問題がある。また，取り付け時に剥離紙を部分的に剥離する必要があるので，取り付け作業に手間がかり，剥離された剥離紙がごみとなるという問題がある。
【０００７】
本発明は，上記問題点の解決を図り，安価であまり手間をかけずに製造することが可能であり，またその取り付けが容易である園芸用ラベルを提供することを目的とする。
【課題を解決するための手段】
【０００８】
本発明は，上記課題を解決するため，巻き付け部と差し込み口からからなり，巻き付け部の先端部分が差し込み口から容易に外れないようにするためのストッパー機能を備えた園芸用ラベルの取り付け機能部を，園芸用ラベルの本体に一体化させることを特徴とする。
【０００９】
具体的に，本発明は，ラベル本体にラベルの目的とする情報が記入され，取り付け機能部によって取り付け対象に取り付けられて使用される園芸用ラベルであって，取り付け機能部は，ラベル本体の一端から帯状に延び，取り付け対象に巻き付けられる巻き付け部と，巻き付け部の先端部分が差し込まれる差し込み口とからなり，差し込み口に巻き付け部の先端部分を差し込んだ状態を維持するためのストッパー機能を備え，ラベル本体と前記取り付け機能部とが合成樹脂または合成紙等で一体に形成されたことを特徴とする。
【００１０】
これにより，ラベル本体と取り付け機能部とを別々に製造する必要がなくなり，ラベル本体と取り付け機能部を組み合わせる作業の必要がなくなるため，製造コストや作業コストを下げることができる。
【００１１】
また，上記の園芸用ラベルにおいて，巻き付け部の差し込み方向とラベル本体の上下方向とが，同じ方向になるようにしてもよい。これにより，園芸用ラベルを横方向に伸びた枝などに取り付ける場合に，ラベル本体の上下方向を正常な状態に維持することができる。
【００１２】
また，上記の園芸用ラベルにおいて，巻き付け部の差し込み方向がラベル本体の上下方向に対して垂直であってもよい。これにより，園芸用ラベルを縦方向に伸びた幹などに取り付ける場合に，ラベル本体の上下方向を正常な状態に維持することができる。
【００１３】
なお，この園芸用ラベルの材料として合成樹脂や合成紙等を用いれば，針金や紙に比べて劣化が起こりにくいため，取り付け機能部が壊れて園芸用ラベルがはずれるようなことがなくなる。
【発明の効果】
【００１４】
本発明によって，園芸用ラベルの取り付け機能部が園芸用ラベルの本体に一体化されるので，それぞれを別々に製造する必要がなくなり，園芸用ラベルの取り付け機能部を園芸用ラベルの本体とを組み合わせる作業を行う必要がなくなる。そのため，園芸用ラベルの製造コストや作業コストを下げることができる。
【００１５】
また，取り付け機能部には針金を使用していないので，巻き付け部の先端部分を差し込み口に差して引っ張るだけで簡単に園芸用ラベルを取り付けることができるようになり，さらに，植物の茎などを傷つけたり，作業中に針金で怪我をすることもなくなる。
【発明を実施するための最良の形態】
【００１６】
以下，図面に従って本発明の実施の形態を説明する。
【００１７】
図１は，本発明の園芸用ラベルの例を示す図である。園芸用ラベル１は，ラベル本体１０と，取り付け機能部２０とが一体化した形状をしている。図１（Ａ）は園芸用ラベル１の斜視図を示し，図１（Ｂ）は園芸用ラベル１の取り付け状態図を示す。
【００１８】
ラベル本体１０は，植物の名称やデザインされたイラスト，販売店名やその店のマーク等の文字や図柄，植物特許がある場合はその旨を示す注意書きや特許番号等の付加的説明事項など，ラベルの目的とする様々な情報を文字や図柄などで表示する部分である。
【００１９】
取り付け機能部２０は，植物の茎，幹，枝などの取り付け対象３０に巻き付けて，園芸用ラベル１を取り付ける部分である。取り付け機能部２０は，巻き付け部２１と差し込み口２２とからなり，巻き付け部２１の先端部分を差し込み口２２に差し込んだ状態を維持するためのストッパー機能を備えている。差し込み口２２は，孔状であってもよいし，切れ目状であってもよい。また，図１の例では差し込み口２２が巻き付け部２１の根元の辺りに設けられているが，ラベル本体１０の部分に差し込み口２２が設けられていてもよい。
【００２０】
園芸用ラベル１を取り付ける場合には，巻き付け部２１を取り付け対象３０に巻き付けて差し込み口２２に差し込み，そのまま巻き付け部２１の先端を引っ張ればよい。取り付け機能部２０にはストッパー機能が付いているので，巻き付け部２１が簡単に差し込み口２２から抜けることはない。
【００２１】
図１の園芸用ラベル１の例において，巻き付け部２１の鋸歯状にギザギザに加工されている部分が差し込み口２２に引っ掛かることが，ストッパー機能としての役割を果たす。鋸歯状の部分は，差し込み方向がなだらかに加工されているため，その部分が差し込み口２２に差し込まれるときにスムーズに差し込まれる。逆に，差し込み方向と反対側は差し込み方向に対して垂直に近い形状で切り込まれているため，その部分が差し込み口２２に引っ掛かる。この例では，差し込み口２２が切れ目状であるため，巻き付け部２１が差し込み口２２にはさまれて外れにくくなっている。また，差し込み口２２の幅が巻き付け部２１の幅より少し狭くなるように設計すれば，差し込み時に差し込み口２２の対角線に巻き付け部２１をひねって差し込んで，ひねりがもとに戻ると巻き付け部分のギザギザが狭い差し込み口２２に引っ掛かってさらに外れにくくなる。
【００２２】
図１に示すような園芸用ラベル１は，ラベル本体１０と取り付け機能部２０とが一体化した板状の形状になっているため，合成樹脂や合成紙などの板を打ち抜くだけで製造することが可能である。これにより，図４に示す従来の園芸用ラベル１００のようにラベル本体１０１と取り付け用針金１０２とを別々に製造する必要がなくなり，ラベル本体１０と取り付け機能部２０とを組み合わせる作業が必要なくなるため，製造コストや作業コストを下げることができるようになる。
【００２３】
本発明の園芸用ラベル１としては，図１の例以外にも様々な例が考えられる。以下では，そのうちの一部を簡単に紹介する。
【００２４】
図２は，巻き付け部が鋸歯状に加工されていない園芸用ラベルの例を示す図である。図２に示すような巻き付け部２１が特に鋸歯状にギザギザに加工されていない園芸用ラベル１でも，十分なストッパー機能を有している。巻き付け部２１は，取り付け対象物に巻かれて差し込み口２２に差し込まれたときに，丸く反った形状となる。このとき，巻き付け部２１の部分には，もとの形に戻ろうとする力が働く。その力と巻き付け部２１と差し込み口２２との間の摩擦力とによって，巻き付け部２１が差し込み口２２に引っ掛かり，容易には外れなくなる。また，帯状の巻き付け部２１の両側ではなく，片側だけを鋸歯状に形成してもよい。
【００２５】
図３は，巻き付け部の差し込み方向がラベル本体の上下方向に対して垂直に設けられた園芸用ラベルの例を示す図である。図３（Ａ）は園芸用ラベル１の斜視図を示し，図３（Ｂ）は園芸用ラベル１の取り付け状態図を示す。
【００２６】
図１の例の園芸用ラベル１では，巻き付け部２１の差し込み方向がラベル本体１０の上下方向と同じ方向である。この場合，図１（Ｂ）に示すように，園芸用ラベル１を横方向に伸びた枝などの取り付け対象３０に取り付ける場合には，ラベル本体１０の上下方向が正常な状態に取り付けられるため問題がないが，縦方向に伸びた幹などの取り付け対象３０に取り付ける場合には，ラベル本体１０の上下方向が横を向いてしまい，適当であるとはいえない。
【００２７】
これに対して図３に示す園芸用ラベル１は，図３（Ｂ）に示すように，園芸用ラベル１を縦方向に伸びた幹などの取り付け対象３０に取り付ける場合に，ラベル本体１０の上下方向が正常な状態になるように取り付けることができる。なお，このタイプの園芸用ラベル１においても，巻き付け部２１の両側または片側を鋸歯状に形成することで，より外れにくくすることが可能である。
【００２８】
以上，本発明の実施の形態について説明したが，本発明はこれに限るものではない。例えば，本実施の形態では，園芸用ラベル１を植物の幹や枝などの取り付け対象３０に取り付ける例を示したが，植物の鉢の取っ手など，直接植物でない他の取り付け対象３０に取り付けるようにしてもよい。また，例えば，本実施の形態の園芸用ラベル１は，ラベル本体１０と取り付け機能部２０とがともに板状であるが，その一方または双方がより立体的な形状であっても構わない。
【図面の簡単な説明】
【００２９】
【図１】本発明の園芸用ラベルの例を示す図である。
【図２】他の実施の形態に係る園芸用ラベルの例を示す図である。
【図３】他の実施の形態に係る園芸用ラベルの例を示す図である。
【図４】従来の園芸用ラベルの例を示す図である。
【符号の説明】
【００３０】
１  園芸用ラベル
１０  ラベル本体
２０  取り付け機能部
２１  巻き付け部
２２  差し込み口
３０  取り付け対象
【図１】
2007155873.tif 000003
【図２】
2007155873.tif 000004
【図３】
2007155873.tif 000005
【図４】
2007155873.tif 000006